(57)【要約】【課題】様々な方向から飛来する雨滴を好適に遮ることが可能であり、かつ、二人で使用した場合であっても雨に打たれ難い傘を提供すること。【解決手段】傘Ｕは、シャフト１と、シャフト１の上端部から放射状に張り出す複数の親骨２と、親骨２に張設された傘布４と、傘布４の外周部の全周から垂れ下がる透明カーテン５と、を備える。透明カーテン５の下端縁は、シャフト１の下端よりも下方に位置させることが好ましい。また、透明カーテン５の下端縁に錘６を取り付けてもよい。【選択図】図１
2019118723.tif 000002
【特許請求の範囲】
【請求項１】
シャフトと、
前記シャフトの上端部から放射状に張り出す複数の親骨と、
前記親骨に張設された傘布と、
前記傘布の外周部の全周から垂れ下がる透明カーテンと、を備えることを特徴とする傘。
【請求項２】
前記透明カーテンの下端縁は、前記シャフトの下端よりも下方に位置することを特徴とする請求項１に記載の傘。
【請求項３】
前記透明カーテンの下端縁に取り付けられた錘をさらに備えることを特徴とする請求項１又は請求項２に記載の傘。
【請求項４】
前記透明カーテンの一部に通気口が形成されていることを特徴とする請求項１から請求項３のいずれか一項に記載の傘。
【請求項５】
前記透明カーテンは、一枚のシートからなり、
前記シートの一方の側端縁に対して他方の側端縁を係止可能であることを特徴とする請求項１から請求項４のいずれか一項に記載の傘。
【請求項６】
前記透明カーテンは、複数枚のシートからなり、
一の前記シートの側端縁に対して隣接する他の前記シートの側端縁を係止可能であることを特徴とする請求項１から請求項４のいずれか一項に記載の傘。
【請求項７】
前記透明カーテンは、着脱可能であることを特徴とする請求項１から請求項６のいずれか一項に記載の傘。
【請求項８】
透明部を有するシートと、
前記シートの縁部に設けられた係止手段とを有する透明カーテンであって、
前記係止手段は、傘布の外周部および親骨の先端部の少なくとも一方に対して着脱可能であり、
前記シートは、傘を開いた状態で円筒状を呈することを特徴とする傘用透明カーテン。
【発明の詳細な説明】
【技術分野】
【０００１】
本発明は、傘および傘用透明カーテンに関する。
【背景技術】
【０００２】
特許文献１には、背中に背負ったリュックサック等に雨が降り掛かることを防止する傘が開示されている。この傘は、複数の親骨に張設された傘布と、傘布の外周部の一部分に設けられた雨避片部とを備えている。雨避片部は、傘布の外周部の一部分から下方向に垂れ下がっている。
【先行技術文献】
【特許文献】
【０００３】
【特許文献１】特開２００３−３３２１１号公報
【発明の概要】
【発明が解決しようとする課題】
【０００４】
特許文献１の傘では、雨避片部を傘布の半周に設ける構成を採用しているので、例えば雨避片部を背中側に位置させた場合には、前方あるいは側方から飛来する雨滴を遮ることができない。また、一本の傘を二人で使用すると、双方とも身体の一部（肩や腕など）が傘布の側方にはみ出してしまうため、一人で使用する場合に比べて、雨に濡れる範囲が増大してしまう。
【０００５】
このような観点から、本発明は、様々な方向から飛来する雨滴を好適に遮ることが可能であり、かつ、二人で使用した場合であっても雨に濡れ難い傘および傘用透明カーテンを提供することを課題とする。
【課題を解決するための手段】
【０００６】
本発明に係る傘は、シャフトと、前記シャフトの上端部から放射状に張り出す複数の親骨と、前記親骨に張設された傘布と、前記傘布の外周部の全周から垂れ下がる透明カーテンと、を備えるものである。
【０００７】
本発明では、傘を開いた際に透明カーテンが筒状を呈するようになるので、傘の使用者を透明カーテンで取り囲むことができる。したがって、本発明によれば、様々な方向から飛来する雨滴を好適に遮ることができる。また、一本の傘を二人で使用するなどして、身体の一部（肩や腕など）が傘布の側方にはみ出した場合であっても、身体が透明カーテンの内側に入っていれば、雨に濡れることを防ぐことができる。
【０００８】
前記透明カーテンの下端縁は、前記シャフトの下端よりも下方に位置させることが好ましい。このようにすると、使用者の少なくとも上半身の大部分を透明カーテンで取り囲むことができる。
【０００９】
前記透明カーテンの下端縁に錘を取り付けてもよい。このようにすると、風による透明カーテンの捲れ上がりを防ぐことができる。
【００１０】
前記透明カーテンの一部に、通気口を形成してもよい。このようにすると、透明カーテン内部の換気が促進されるので、夏期等においては、蒸れや暑さを緩和することができる。また、透明カーテン内外の温度差が小さくなるので、透明カーテンに曇りが発生し難くなる。
【００１１】
前記透明カーテンを一枚のシートで形成する場合には、前記シートの一方の側端縁に対して他方の側端縁を係止可能に構成するとよい。このようにすると、透明カーテンの切れ目（すなわち、シートの一方の側端縁と他方の側端縁との合わせ目）を使用者の出入口として利用できるので、透明カーテンの内部空間に対してスムーズに出入りすることが可能となる。
前記透明カーテンを複数枚のシートで形成する場合には、一の前記シートの側端縁に対して隣接する他の前記シートの側端縁を係止可能に構成するとよい。このようにすると、透明カーテンの切れ目（すなわち、シート同士の合わせ目）を使用者の出入口として利用できるので、透明カーテンの内部空間に対してスムーズに出入りすることが可能となる。
【００１２】
前記透明カーテンは、着脱可能であることが好ましい。このようにすると、雨の強弱に応じて透明カーテンの使用・不使用を選択することができる。
【００１３】
本発明に係る傘用透明カーテンは、透明部を有するシートと、前記シートの縁部に設けられた係止手段とを有する透明カーテンである。前記係止手段は、傘布の外周部および親骨の先端部の少なくとも一方に対して着脱可能であり、前記シートは、傘を開いた状態で円筒状を呈する。
【００１４】
本発明に係る傘用透明カーテンを傘に取り付ければ、様々な方向から飛来する雨滴を好適に遮ることができる。
【発明の効果】
【００１５】
本発明に係る傘および傘用透明カーテンによれば、様々な方向から飛来する雨滴を好適に遮ることができる。
【図面の簡単な説明】
【００１６】
【図１】本発明の実施形態に係る傘の側面図である。
【図２】透明カーテンを示す斜視図である。
【発明を実施するための形態】
【００１７】
本発明の実施形態に係る傘Ｕは、図１に示すように、シャフト１と、複数の親骨２，２，…と、複数の受け骨３，３，…と、傘布４と、透明カーテン５と、錘６とを備えている。
【００１８】
シャフト１は、傘Ｕの心棒である。シャフト１の材質に制限はないが、耐風性を高める観点から、金属（アルミニウム合金、ステンレス鋼など）にて構成することが好ましい。シャフト１には、上ロクロ１ａ、下ロクロ１ｂおよびハンドル１ｃが取り付けられている。
上ロクロ１ａは、親骨２に接続される部材であり、シャフト１の上端部に取り付けられている。下ロクロ１ｂは、上ロクロ１ａとハンドル１ｃとの間において上下にスライド可能である。ハンドル１ｃは、持ち手となる部位であり、シャフト１の下端部に取り付けられている。
【００１９】
親骨２，２，…は、傘布４を支持する部材であり、シャフト１の上端部から放射状に張り出している。親骨２の基端部は、上ロクロ１ａに接続されている。
【００２０】
受け骨３，３，…は、シャフト１の中間部から放射状に張り出している。受け骨３は、親骨２の中間部を支持する部材である。受け骨３の基端部は、下ロクロ１ｂに接続されており、受け骨３の先端部は、親骨２の中間部に接続されている。
【００２１】
傘布４は、複数の親骨２，２…に張設されている。傘布４の外周部には、係止手段４ａが設けられている。係止手段４ａには、透明カーテン５の上縁部が係止される。本実施形態の係止手段４ａは、ループ状に起毛させた面ファスナー（雌側面ファスナー）であり、傘布４の下面に取り付けられている。このようにすると、透明カーテン５を取り外した状態で傘布４を使用した際に、頭髪が面ファスナーに絡みにくくなる。なお、係止手段４ａは、接着、溶着、縫着等の手段により、傘布４に固定する。
【００２２】
透明カーテン５は、傘布４の外周部の全周から垂れ下がっていて、筒状を呈している。透明カーテン５の下端縁は、シャフト１の下端よりも下方に位置する。透明カーテン５の長さは、使用者の身長等に応じて適宜設定すればよいが、本実施形態では、シャフト１の２倍以上の長さに設定している。透明カーテン５の上端縁は、傘布４の下面側に位置している。このような構成であれば、傘布４の外周縁から滴り落ちる雨粒が透明カーテン５の内側に入り難くなる。
【００２３】
本実施形態の透明カーテン５は、傘布４に対して着脱可能である。図２に示すように、透明カーテン５は、透明部を有するシートからなる。当該シートの上縁部（透明カーテン５の上縁部）には、傘布４の係止手段４ａと着脱可能に係合する係止手段５ａが設けられている。本実施形態の係止手段５ａは、フック状に起毛させた面ファスナー（雄側面ファスナー）であり、透明カーテン５の上端部に取り付けられている。
なお、本実施形態では、透明カーテン５を構成するシート全体を透明としたが、視認性を確保するために必要な範囲に透明部を有していれば、シートの一部に模様、色彩、反射シート等を付してもよい。
また、係止手段４ａ，５ａの種類に制限はなく、スナップ、磁石、紐などを使用することもできる。また、係止手段４ａ，５ａの一方をボタンやフック等の留め具とし、他方を穴（ボタンホールなど）としてもよい。
【００２４】
透明カーテン５は、矩形状のシートから構成されているが、傘布４に取り付けられた状態では、筒状を呈している（図１参照）。透明カーテン５を構成するシートは、傘布４に取り付けたときに一方の側端縁と他方の側端縁とが重複（ラップ）し得る長さを備えていて、一方の側端縁に対して他方の側端縁を係止可能である。シートの一方の側端縁および他方の側端縁には、互いに係合する係止手段５ｂ，５ｃが取り付けられている。係止手段５ｂ，５ｃの種類に制限はなく、面ファスナー、スナップ、磁石、紐などから適宜なものを選択することができる。また、係止手段５ｂ，５ｃの一方をボタンやフック等の留め具とし、他方を穴（ボタンホールなど）としてもよい。
なお、透明カーテン５を構成するシートの材質に制限はないが、可撓性を有する合成樹脂製（例えば、ポリ塩化ビニール製）であれば、不使用時に折り畳む又は丸めることができるので、好適である。また、一枚のシートで透明カーテン５を構成してもよいし、複数枚のシートを傘布４の周方向に連ねることで透明カーテン５を構成してもよい。透明カーテン５を複数枚のシートで形成する場合には、各シートの側端縁に係止手段を設け、一のシートの側端縁に対して隣接する他のシートの側端縁を係止可能にするとよい。
【００２５】
透明カーテン５の一部には、通気口５ｄが形成されている。通気口５ｄには、網状部材が取り付けられている。本実施形態では、透明カーテン５の対向する部位に一対の通気口５ｄ，５ｄが設けられている。このようにすると、透明カーテン５内の空気の流れがスムーズになる。なお、通気口５ｄの数、位置、大きさ等に制限はない。例えば、多数の小孔を通気口としてもよい。
【００２６】
図１に示すように、錘６は、透明カーテン５の下端縁に取り付けられている。本実施形態では、透明カーテン５の下端縁の全周に亘って線状の錘６を設けている。錘６は、接着、溶着、縫着等の手段により、透明カーテン５に固定すればよい。なお、錘６の材質、重量等に制限はない。また、複数の錘を点在させてもよいし、断続的に配置してもよい。
【００２７】
本実施形態に係る傘Ｕによれば、透明カーテン５が筒状を呈するようになるので、傘Ｕの使用者を透明カーテン５で取り囲むことができる。したがって、傘Ｕによれば、様々な方向から飛来する雨滴を好適に遮ることができる。また、一本の傘Ｕを二人で使用した場合であっても、両者とも透明カーテン５の内側に入っていれば、傘布４の側方にはみ出した部分についても、雨に濡れることを防ぐことができる。
【００２８】
また、透明カーテン５の下端縁がシャフト１の下端よりも下方に位置しているので、使用者の上半身の大部分を透明カーテン５で囲むことができる。特に本実施形態では、透明カーテン５の長さがシャフト１の２倍以上に設定されているので、使用者の上半身に加えて、臀部や大腿部をも透明カーテン５で囲むことができる。また、身長差が大きい二人（例えば、大人と子供）で一本の傘Ｕを使用したときには、身長の高い者だけでなく、身長の低い者をも透明カーテン５で囲むことができる。なお、透明カーテン５の長さを大きくすればするほど、使用者に向けて飛来する雨滴を好適に遮ることができ、一本の傘Ｕを身長差の大きい二人で使用する場合にあっては、背の低い者に向けて飛来する雨滴をも好適に遮ることができる。例えば、透明カーテン５の長さを、透明カーテン５の下端縁が大人の膝下や足首に達するような長さに設定すれば、大人が把持した傘Ｕに子供（幼児や児童）が入ったときに、子供の臀部や大腿部をも透明カーテン５で囲むことができる。
【００２９】
さらに、透明カーテン５の下端縁に錘６が取り付けられているので、風による透明カーテン５の捲れ上がりを防ぐことができる。
【００３０】
また、透明カーテン５の一部に通気口５ｄが形成されているので、透明カーテン５の内部の換気が促進される。したがって、例えば夏期等においては、蒸れや暑さを緩和することができる。また、通気口５ｄを通じて換気が促進されるので、透明カーテン５の内外の温度差が小さくなり、ひいては、透明カーテン５に曇りが発生し難くなる。
【００３１】
また、傘Ｕによれば、透明カーテン５の切れ目（すなわち、シートの一方の側端縁と他方の側端縁との合わせ目）が出入口となるので、透明カーテン５の内部空間にスムーズに出入りすることができる。
【００３２】
透明カーテン５を着脱できるので、雨の強弱に応じて透明カーテン５の使用・不使用を選択することができる。なお、本実施形態では、傘布４に係止手段４ａを設け、傘布４に対して透明カーテン５を着脱する構成を例示したが、親骨２の先端に係止手段（図視略）を設け、親骨２に対して透明カーテン５を着脱する構成としてもよい。
【符号の説明】
【００３３】
Ｕ    傘
１    シャフト
２    親骨
３    受け骨
４    傘布
５    透明カーテン
５ｄ  通気口
６    錘
【図１】
2019118723.tif 000003
【図２】
2019118723.tif 000004